(57)【要約】【課題】  太陽電池を電源とする小型の無線機能付き時計において、発電量を向上すること。【解決手段】  無線機能付き時計１は、外装ケース９１の表面側開口に取り付けられたカバーガラス９２と、裏面側開口に取り付けられた裏蓋９３と、外装ケース９１内に収納された時計体および太陽電池とを備える。時計体は、アンテナ２１を用いて電波を受信する無線通信手段と、発電電力を蓄電する二次電源７２と、蓄電された電力で駆動される時刻表示手段とを含む。裏蓋９３は、光を透過するガラス９３２を備え、前記太陽電池は、カバーガラス９２を介して入射する光によって発電する第１の太陽電池７１１と、裏蓋９３のガラス９３２を介して入射する光によって発電する第２の太陽電池７１２とを備える。時計の表面側だけでなく裏面側にも太陽電池７１２が設けられているので、小型の時計でも発電量を向上でき、無線機能付き時計を実現できる。【選択図】図４
2006047234.tif 000002
【特許請求の範囲】
【請求項１】
筒形状の外装ケースと、この外装ケースの表面側の開口に取り付けられた風防と、裏面側の開口に取り付けられた裏蓋と、前記外装ケース内に収納された時計体と、前記外装ケース内に収納された太陽電池とを備え、
前記時計体は、アンテナを用いて外部無線情報を受信または送信する無線通信手段と、前記太陽電池で発電された電力が蓄電される蓄電手段と、この蓄電手段に蓄電された電力によって駆動される時刻表示手段とを含み、
前記裏蓋の少なくとも一部は、光を透過する透光性部材で構成され、
前記太陽電池は、時計体の風防側に配置され、風防を介して入射する光によって発電する第１の太陽電池と、前記時計体の裏蓋側に配置され、裏蓋の透光性部材を介して入射する光によって発電する第２の太陽電池とを備えて構成されていることを特徴とする無線機能付き時計。
【請求項２】
請求項１に記載の無線機能付き時計において、
前記外装ケースは金属製とされ、
前記裏蓋の透光性部材および第２の太陽電池は、前記外部無線情報が通過可能な非導電性部材で構成されていることを特徴とする無線機能付き時計。
【請求項３】
請求項１または請求項２に記載の無線機能付き時計において、
前記外装ケースは金属製とされ、
前記第１の太陽電池の風防側または時計体側には文字板が設けられ、
前記風防、文字板および第１の太陽電池は、前記外部無線情報が通過可能な非導電性部材で構成されていることを特徴とする無線機能付き時計。
【請求項４】
請求項１から請求項３のいずれかに記載の無線機能付き時計において、
前記外装ケースの対向する２カ所には時計バンドが連結され、
前記アンテナの軸方向は、外装ケースの時計バンドが連結された部分を結ぶ方向にほぼ平行とされていることを特徴とする電波修正時計。
【請求項５】
請求項１から請求項４のいずれかに記載の無線機能付き時計において、
前記第２の太陽電池は、裏蓋の透光性部材の時計体側に密着して配置され、かつ、裏蓋に一体的に取り付けられていることを特徴とする無線機能付き時計。
【請求項６】
請求項１から請求項４のいずれかに記載の無線機能付き時計において、
前記第２の太陽電池は、前記時計体の裏蓋側に密着して配置され、かつ、時計体に一体的に取り付けられていることを特徴とする無線機能付き時計。
【請求項７】
請求項１から請求項６のいずれかに記載の無線機能付き時計において、
前記第１および第２の太陽電池は直列に接続されていることを特徴とする無線機能付き時計。
【請求項８】
請求項１から請求項７のいずれかに記載の無線機能付き時計において、
前記裏蓋は、金属製のリングと、このリング内に装着された透光性部材とで構成され、
前記透光性部材は、ガラスまたはプラスチックにより構成されていることを特徴とする無線機能付き時計。
【請求項９】
請求項１から請求項８のいずれかに記載の無線機能付き時計において、
前記蓄電手段の電圧を検出する電圧検出手段と、前記蓄電手段の電圧が所定値以上の場合には第１および第２の太陽電池または第２の太陽電池を短絡して蓄電手段への充電量を制御する充電制御手段とを備えることを特徴とする無線機能付き時計。
【発明の詳細な説明】
【技術分野】
【０００１】
本発明は、時刻情報等を含んだ外部無線情報を受信して時刻修正等の処理を行う電波修正時計などのように、無線情報を受信又は送信可能な無線機能付き時計に関する。
【背景技術】
【０００２】
外部からの時刻情報を受信して時刻修正を行う電波修正時計において、電源として太陽電池を用いたものが知られている（例えば、特許文献１参照）。
この電波修正時計は、時計の文字板側にソーラーセルを設け、ソーラーセルを電源として電波受信等の処理を行っている。
【０００３】
【特許文献１】国際公開第９７／２１１５３号パンフレット
【発明の開示】
【発明が解決しようとする課題】
【０００４】
しかしながら、太陽電池のサイズは、文字板の大きさで制限される。特に、女性向けの小型の腕時計では、太陽電池の面積が小さいために発電量が少ないという問題があった。このため、電波受信処理のために通常の時計に比べて電力消費量が多い電波時計においてはエネルギー収支が課題となるため、小型の腕時計において太陽電池を電源とする電波修正時計の実現は困難であった。
【０００５】
このような問題は、電波修正時計に限らず、無線通信機能を有する各種の無線機能付き時計に共通する問題であった。
本発明の目的は、太陽電池を電源とする小型の無線機能付き時計において、発電量を向上できる無線機能付き時計を提供することにある。
【課題を解決するための手段】
【０００６】
本発明の無線機能付き時計は、筒形状の外装ケースと、この外装ケースの表面側の開口に取り付けられた風防と、裏面側の開口に取り付けられた裏蓋と、前記外装ケース内に収納された時計体と、前記外装ケース内に収納された太陽電池とを備え、前記時計体は、アンテナを用いて外部無線情報を受信または送信する無線通信手段と、前記太陽電池で発電された電力が蓄電される蓄電手段と、この蓄電手段に蓄電された電力によって駆動される時刻表示手段とを含み、前記裏蓋の少なくとも一部は、光を透過する透光性部材で構成され、前記太陽電池は、時計体の風防側に配置され、風防を介して入射する光によって発電する第１の太陽電池と、前記時計体の裏蓋側に配置され、裏蓋の透光性部材を介して入射する光によって発電する第２の太陽電池とを備えて構成されていることを特徴とするものである。
【０００７】
本発明においては、風防を介して入射する光によって発電する第１の太陽電池の他に、裏蓋の透光性部材を介して入射する光によって発電する第２の太陽電池を備えている。すなわち、時計体（アナログ時計のムーブメントや、デジタル表示時計のモジュール）の表面側および裏面側に第１および第２の太陽電池を設けている。このため、例えば、時計を横向きに置いて、時計の表面側（風防側）だけでなく、裏面側（裏蓋側）にも光が当たるようにすれば、第１および第２の太陽電池の両方で発電できる。従って、従来の時計のように、第１の太陽電池のみ設けられている場合に比べて、時計のサイズを大きくすることなく、太陽電池の面積を大きくすることができる。このため、小型の時計においても、発電量を向上でき、外部無線情報の受信や送信などの電力消費量が大きな処理も実現できる。従って、従来、実現が困難であった、女性用の腕時計として利用可能な電波修正時計を実現することもできる。
【０００８】
ここで、前記外装ケースは金属製とされ、前記裏蓋の透光性部材および第２の太陽電池は、前記外部無線情報が通過可能な非導電性部材で構成されていることが好ましい。
外装ケースを金属製とすれば、プラスチック製の場合に比べて、時計の意匠性を向上でき、高級感のある時計にすることができる。また、標準電波等の外部無線情報は、非導電性部材で構成された裏蓋の透光性部材および第２の太陽電池を通過できるので、前記アンテナは、透光性部材および第２の太陽電池を通して外部無線情報を受信又は送信することができる。従って、外装ケースを金属製にしたために、外装ケース部分を介して外部無線情報を送受信することが難しい場合に、裏蓋および第２の太陽電池を介して外部無線情報を送受信することができ、受信感度の低下も防止できる。
【０００９】
また、前記外装ケースは金属製とされ、前記第１の太陽電池の風防側または時計体側には文字板が設けられ、前記風防、文字板および第１の太陽電池は、前記外部無線情報が通過可能な非導電性部材で構成されていることが好ましい。
外装ケースを金属製とすれば、時計の意匠性を向上でき、高級感のある時計にできる。また、風防、文字板および第１の太陽電池を非導電性部材で構成したので、前記アンテナは、風防、文字板および第１の太陽電池を介して外部無線情報を受信や送信することができる。従って、外装ケースを金属製にしたために、外装ケース部分を介して外部無線情報を送受信することが難しい場合にも、風防などを介して外部無線情報を送受信することができ、受信感度の低下などを防止できる。
なお、風防、文字板および第１の太陽電池と、裏蓋の透光性部材および第２の太陽電池とをそれぞれ非導電性部材で構成すれば、アンテナは、時計の表面側および裏面側の両方から外部無線情報を受信又は送信でき、受信感度も一層向上できる。
【００１０】
また、前記外装ケースの対向する２カ所には時計バンドが連結され、前記アンテナの軸方向は、外装ケースの時計バンドが連結された部分を結ぶ方向にほぼ平行とされていることが好ましい。
例えば、１２時間式の指針を備えたアナログ式の腕時計では、外装ケースの１２時方向および６時方向に時計バンドが連結されるため、アンテナの軸方向は、外装ケースの１２時方向および６時方向を結ぶ方向にほぼ平行とされる。このような時計において、外装ケースの表面側（風防側）および裏面側（裏蓋側）の両方に光が当たるように、外装ケースの９時側または３時側を下側にし、３時側または９時側を上側にして、外装ケースが横向きに置かれると、アンテナの軸方向は、外装ケースの載置面に略平行つまり略水平方向に向くことになる。
従って、前記アンテナの軸方向は、電波修正時計で受信する標準電波の磁界の向きとほぼ一致し、アンテナコイルと鎖交する磁界成分が最大になる。このため、外装ケースを横向きに置いた場合、アンテナの軸方向を外装ケースの時計バンドが連結された部分を結ぶ方向に略平行とすれば、アンテナの軸方向をその他の方向にした場合に比べ、最高の受信性能が得られる。
【００１１】
また、前記第２の太陽電池は、裏蓋の透光性部材の時計体側に密着して配置され、かつ、裏蓋に一体的に取り付けられていることが好ましい。
第２の太陽電池を裏蓋に一体に取り付けておけば、裏蓋の透光性部材の大きさに合わせて太陽電池を組み込むことができるので、効率よく発電できる。また、透光性部材によって太陽電池の強度を補強できるので、太陽電池を薄型化することもできる。さらに、第２の太陽電池を裏蓋と共に着脱できるので、例えば、時計体に配置された蓄電手段である二次電池等を容易に交換できる。
【００１２】
また、前記第２の太陽電池は、前記時計体の裏蓋側に密着して配置され、かつ、時計体に一体的に取り付けられていることが好ましい。
第２の太陽電池を時計体に一体に取り付けておけば、太陽電池と時計体内の蓄電手段との導通構造（配線など）を簡略化できる。また、裏蓋の外装ケースへの取付構造をスクリュータイプにできるので、防水性能を向上できる。
【００１３】
ここで、前記第１および第２の太陽電池は直列に接続されていることが好ましい。
第１および第２の太陽電池の電気接続は、並列に接続してもよいが、直列に接続した方が起電圧を高くできる点で好ましい。
【００１４】
また、前記裏蓋は、金属製のリングと、このリング内に装着された透光性部材とで構成され、前記透光性部材は、ガラスまたはプラスチックにより構成されていることが好ましい。
裏蓋全体をプラスチック製にしてもよいが、金属製のリングとガラスやプラスチックからなる透光性部材で構成すれば、意匠性を向上でき、かつ、金属リング部分で外装ケースに取り付けることができるので、取付構造を強固にできる。
【００１５】
さらに、前記蓄電手段の電圧を検出する電圧検出手段と、前記蓄電手段の電圧が所定値以上の場合には第１および第２の太陽電池または第２の太陽電池を短絡して蓄電手段への充電量を制御する充電制御手段とを備えることが好ましい。
このような充電制御手段を備えていれば、蓄電手段の電圧が所定値以上の際に、充電制御手段によって第１および第２の太陽電池または第２の太陽電池を短絡しているので、発電電流を短絡部分に流すことで、蓄電手段を迂回させることができ、蓄電手段の過充電を防止できる。
【発明の効果】
【００１６】
前述のように本発明の無線機能付き時計によれば、太陽電池の発電量を向上でき、太陽電池を電源とする小型の無線機能付き時計においてエネルギー収支を良好にでき、女性用の腕時計のような小型の無線機能付き時計を実現できるという効果がある。
【発明を実施するための最良の形態】
【００１７】
以下、本発明の実施の形態を図面に基づいて説明する。なお、以下の説明にあたって、前述した実施形態と同一構成要件については、同一符号を付し、その説明を省略もしくは簡略化する。
【００１８】
〔第１実施形態〕
図１には、本発明の第１実施形態に係る無線機能付き時計としての電波修正時計１の構成を示すブロック図が示されている。
本発明の電波修正時計１は、一般的な電波修正時計と同様の構成を備えるものであり、時刻情報を含む電波（外部無線情報）を受信する無線通信手段としての受信手段２と、駆動制御回路部３と、指針を駆動する駆動手段４と、時刻をカウントするカウンタ部６と、電力を供給する電力供給手段７と、リュウズなどの外部入力装置８とを備えて構成されている。
【００１９】
無線受信手段２は、電波を受けるアンテナ２１と、コンデンサ等で構成されてアンテナ２１で受信する電波に同調させる同調回路部２２と、アンテナ２１で受けた情報を処理する受信回路部２３と、受信回路部２３で処理された時刻データを記憶する時刻データ記憶回路部２４とを備えて構成されている。
アンテナ２１は、図２にも示すように、磁性体コア（アンテナコア）２１１にコイル２１２を巻いて構成されており、必要に応じて、耐食性に優れるカチオン電着塗装等で絶縁を施したものである。
【００２０】
同調回路部２２は、図２に示されるように、アンテナ２１に対して並列に接続された２つのコンデンサ２２Ａ，２２Ｂを備えて構成され、一方のコンデンサ２２Ｂはスイッチ２２Ｃを介してアンテナ２１に接続されている。
そして、駆動制御回路部３から出力される周波数切替え制御信号により、前記スイッチ２２Ｃをオンまたはオフすることで、アンテナ２１で受信する電波の周波数を切り替えるように構成されている。これにより、例えば、日本国内において、送信周波数４０ｋＨｚのおおたかどや山（東日本）の標準電波出力局と、送信周波数６０ｋＨｚのはがね山（西日本）の標準電波出力局とから出力されている２種類の周波数の長波標準電波を切り替えて受信することができるように構成されている。また、米国の標準電波（６０ｋＨｚ）とドイツの標準電波（７７．５ｋＨｚ）とを切り換えて受信することもできる。
本実施形態では、前記スイッチ２２Ｃをオンすると、選択可能な周波数のうち、低い周波数に同調し、オフすると高い周波数に同調する。なお、スイッチ２２Ｃはトランジスタで構成され、後述する受信ＩＣ８１に内蔵されている。
【００２１】
受信回路部２３は、アンテナ２１によって受信された長波標準電波信号を増幅する増幅回路２３１と、増幅された長波標準電波信号から所望の周波数成分のみを抜き出すバンドパスフィルタ２３２と、長波標準電波信号を平滑化し復調する復調回路２３３と、増幅回路２３１のゲインコントロールを行ない、電界強度に左右されずに長波標準電波信号の受信レベルが一定になるように制御するＡＧＣ（Automatic Gain Control）回路２３４と、復調された長波標準電波信号をデコードして出力するデコード回路２３５とを備えて構成されている。
受信回路部２３で受信され信号処理された時刻データは、図１に示すように、時刻データ記憶回路部２４に出力されて記憶される。
受信回路部２３は、予め設定されたスケジュールや外部入力装置８による強制受信操作等によって、駆動制御回路部３から出力される受信制御信号（パワーオン制御信号）に基づいて駆動制御されている。例えば、受信制御信号がＨｉレベルのときに受信動作を行い、受信回路部２３から時刻データ記憶回路部２４に受信データが出力される。また、受信制御信号がＬｏレベルのときに受信動作を停止する。
なお、受信回路部２３が動作しているときの消費電流は約１００μＡであり、時計の通常動作時（運針動作時）の２００倍近い電流消費量となる。
【００２２】
駆動制御回路部３は、図１に示されるように、パルス合成回路３１からのパルス信号が入力される。パルス合成回路３１は、水晶振動子などの基準振動子３１１からの基準パルスを分周してクロックパルスを生成し、また、基準パルスからパルス幅やタイミングの異なるパルス信号を発生させる。
【００２３】
駆動制御回路部３は、一秒に一回出力され秒針を駆動させる秒駆動パルス信号ＰＳ１と、一分間に一回出力され時分針を駆動させる時分駆動パルス信号ＰＳ２とを、各秒駆動回路４１、時分駆動回路４２に出力して、指針の駆動を制御する。すなわち、各駆動回路４１，４２は、各回路４１、４２からのパルス信号によって駆動されるステッピングモータからなる秒モータ４１１，時分モータ４２１を駆動し、これにより各モータ４１１，４２１に接続された秒針と、分針および時針とを駆動する。そして、各指針、モータ４１１，４２１、駆動回路４１，４２によって時刻を表示する時刻表示手段が構成されている。なお、時刻表示手段としては、１つのモータで、時針、分針、秒針を駆動するものでもよい。
【００２４】
カウンタ部６は、秒をカウントする秒カウンタ回路部６１と、時分をカウントする時分カウンタ回路部６２とを備えて構成されている。
秒カウンタ回路部６１は、秒位置カウンタ６１１と、秒時刻カウンタ６１２と、一致検出回路６１３とを備えて構成されている。秒位置カウンタ６１１および秒時刻カウンタ６１２はともに６０カウント、つまり１Ｈｚの信号が入力された場合には６０秒でループするカウンタである。秒位置カウンタ６１１は、駆動制御回路部３から秒駆動回路４１に供給される駆動パルス信号（秒駆動パルス信号ＰＳ１）をカウントしている。つまり、秒針を駆動させる駆動パルス信号をカウントすることによって、秒針が示している秒針の位置をカウントしている。
秒時刻カウンタ６１２は、通常は、駆動制御回路部３から出力される１Ｈｚの基準パルス信号（クロックパルス)をカウントする。また、受信手段２で時刻データを受信した場
合には、この時刻データのうちの秒データに合わせてカウンタ値が修正される。
【００２５】
同様に、時分カウンタ回路部６２は、時分位置カウンタ６２１と、時分時刻カウンタ６２２と、一致検出回路６２３とを備えて構成されている。時分位置カウンタ６２１および時分時刻カウンタ６２２はともに２４時間分の信号が入力されるとループするカウンタである。時分位置カウンタ６２１は、駆動制御回路部３から時分駆動回路４２に供給される駆動パルス信号（時分駆動パルス信号ＰＳ２）をカウントし、時針、分針が示している時分針の位置をカウントしている。
時分時刻カウンタ６２２は、通常は、駆動制御回路部３から出力される１Ｈｚのパルス（クロックパルス)をカウントする（正確には１Ｈｚを６０回計数したところで１カウントとする）。また、受信手段２で時刻データを受信した場合には、この時刻データのうちの時分データに合わせてカウンタ値が修正される。
【００２６】
各一致検出回路６１３，６２３は、各位置カウンタ６１１，６２１と各時刻カウンタ６１２，６２２とのカウント値の一致を検出し、一致しているか否かを示す検出信号を駆動制御回路部３に出力する。
駆動制御回路部３は、各一致検出回路６１３，６２３から不一致信号が入力されると、一致信号が入力されるまで各駆動パルス信号ＰＳ１，ＰＳ２を出力し続ける。このため、通常運針時は、駆動制御回路部３から１Ｈｚの基準信号によって各時刻カウンタ６１２，６２２のカウンタ値が変化して位置カウンタ６１１，６２１と不一致となると、各駆動パルス信号ＰＳ１，ＰＳ２が出力されて各指針が動くとともに、各位置カウンタ６１１，６２１が時刻カウンタ６１２，６２２と一致することになり、この動作を繰り返すことで、通常の運針制御が行われる。
また、受信した時刻データで各時刻カウンタ６１２，６２２が修正されると、そのカウンタ値に各位置カウンタ６１１，６２１のカウンタ値が一致するまで、各駆動パルス信号ＰＳ１，ＰＳ２が出力され続け、指針が早送りされて正しい時刻に修正される。
なお、以上に説明した指針の駆動制御は、カウンタ部６等のハードウェアを用いて制御するものに限らず、ＣＰＵおよびソフトウェアで制御してもよい。
【００２７】
電力供給手段７は、太陽電池（ソーラー発電機）によって構成された発電手段としての発電装置７１と、発電装置７１で発電された電力を蓄電する蓄電手段としての高容量二次電源７２とを備えて構成されている。高容量二次電源７２は、リチウムイオン電池のような二次電池が利用できる。
外部入力手段としての外部入力装置８は、リュウズ等を備え、受信動作や時刻合わせなどを行うために利用される。
本実施形態では、無線受信手段２、駆動制御回路部３、駆動手段４、カウンタ部６、高容量二次電源７２を備えてムーブメント（時計体）が構成されている。
【００２８】
次に、電波修正時計１の具体的構造について説明する。
電波修正時計１は、図３〜５にも示すように、約円筒状に形成された外装ケース（胴）９１と、外装ケース９１の表面側に装着されたカバーガラス（風防）９２と、外装ケース９１の裏面側に着脱可能に取り付けられた裏蓋９３とを備えている。
外装ケース９１は、ステンレス鋼、真鍮、チタン等の金属材で構成されている。外装ケース９１内には、アンテナ２１や高容量二次電源７２を含む前記ムーブメントが組み込まれている。
すなわち、外装ケース９１内には、コンデンサ２２Ａ，２２Ｂ、受信ＩＣ８１、ＣＰＵ８２、基準振動子３１１等が取り付けられた回路基板８０や、蓄電手段を構成する高容量二次電源７２や、駆動手段４を構成するモータ４１１，４２１等が組み込まれた時計体（ムーブメント）が組み込まれている。そして、受信ＩＣ８１、ＣＰＵ８２等によって、受信回路部２３、駆動制御回路部３、カウンタ部６が構成されている。
【００２９】
アンテナ２１は、一般的なバーアンテナのように、棒状（直線状）のものでもよいが、本実施形態では、図３に示すように、平面円弧状に湾曲されたアンテナを用いている。このアンテナ２１は、外装ケース９１の円周状の内周面９１Ａに沿って配置されている。すなわち、図３に示すように、アンテナ２１の磁性体コア２１１の平面形状は、内周面９１Ａと略同心円の円弧状に形成され、コイル２１２は磁性体コア２１１に巻かれることで平面略円弧状に構成されている。
【００３０】
アンテナ２１の磁性体コア２１１は、フェライトや積層アモルファス箔などで構成される。磁性体コア２１１を積層アモルファス箔で構成する場合、例えば、コバルト系のアモルファス箔（例；Ｃｏ５０ｗｔ％以上のアモルファス箔）を型で打ち抜くか、エッチングで成形したものを１０〜３０枚程接着して重ね合わせ、焼鈍等の熱処理を行って磁気特性を安定化させたものが利用できる。そして、磁性体コア２１１は、平面円弧状のアモルファス箔を時計の厚み方向に積層して構成すればよい。
なお、磁性体コア２１１をフェライトで構成する場合、型等で成形し、熱処理して製造すればよい。コア２１１をフェライトで構成すれば、アモルファス泊を用いた場合に比べて安価である。但し、コア２１１をアモルファス泊で構成したほうが、フェライトで構成した場合に比べて保持力が弱いため、外装ケース９１を金属製にした場合に性能的に有利となる。
【００３１】
ここで、磁性体コア２１１を構成するアモルファス箔は、通常、厚さ寸法が０．０１ｍｍ〜０．０５ｍｍ程度であるため、例えば３０枚積層した場合、磁性体コア２１１の積層方向の厚さ寸法は０．３〜１．５ｍｍ程度である。アモルファス材はフェライトに比べて磁気特性が良いため、より小型・薄型のアンテナ２１を実現できる。そして、アンテナ特性は、コアの体積によって影響されるため、アンテナを薄くする分、アンテナ特性を維持するには、アンテナの平面積を大きくするか、アンテナ長さ（コア長さ）を長くする必要がある。例えば、磁性体コア２１１の幅寸法は例えば０．５〜３．０ｍｍ程度であり、長さは１５〜３０ｍｍ程度とすればよい。なお、アモルファス金属板の厚みが０．０５ｍｍより厚くなると、板圧中央部は迅速な冷却を行うことが困難なため、金属はアモルファス化させることなく結晶化されてしまう。すなわち、アモルファス金属を製造するには、金属が結晶化される以前に、迅速な冷却作業を行う必要があり、そのためには、金属の厚みを薄くしなくてはならない。また、アモルファス金属板の厚みが０．０１ｍｍより薄くなると、組立作業等において、アモルファス金属板の強度が弱くなって変形しやすくなるので、部品の位置決め作業や部品の取扱作業等が非常にやりにくくなる。
【００３２】
アンテナ２１のコイル２１２は、長波標準電波（４０〜７７．５ｋＨｚ）を受信する場合は、１０ｍＨ程度のインダクタンス値が必要となる。このため、本実施形態では、コイル２１２として直径０．１μｍ程度のウレメット線を数百ターンほど巻いて構成している。なお、本実施形態では、コイル２１２の巻き作業を容易にし、端部の巻きくずれを防止するため、コイル２１２をコア２１１の端面まで巻くのではなく、コア２１１の端面から所定寸法（通常は数ミリ）離した位置まで巻いている。従って、コア２１１の端部には、コイル２１２が巻かれていない部分が存在することになる。
また、コイル２１２の巻き方としては、特に限定されず、乱巻きなどでもよいが、特に整列巻きが好ましい。整列巻きを採用すれば、コイル線材間の無駄な空間が無くなり、同じインダクタンス値を得るためのコイル体積を小さくできる。なお、本実施形態では、コア２１１が平面円弧状であるため、次のようにしてアンテナ２１を製造している。まず、ボビンに自己融着電線のコイルを巻いた後、熱もしくは溶液に浸してコイルを固める。コイルが固まった後、ボビンを引き抜き、ボビンを引き抜くことで形成された貫通孔部分に前記磁性体コア２１１を挿入して成形する。なお、コイルを巻いたボビンにコアを挿入してアンテナを構成してもよい。この場合、ボビンが存在する分、サイズが大きくなるが、アンテナを容易に製造できる。
【００３３】
アンテナ２１は熱可塑性樹脂（ホットメルト）、紫外線硬化型エポキシ等を用いてムーブメントの地板に固定されている。また、アンテナ２１の緩衝材としての機能を持たせるため、弾性のあるシーリング材を利用して固定してもよい。
また、アンテナ２１と受信ＩＣ８１とは２本の配線で接続されている。すなわち、コイル２１２をアンテナ端部から取り出して回路基板８０にはんだ付けすることにより、アンテナ２１と受信ＩＣ８１とは電気的に接続されている。なお、前記電気的接続は、アンテナ２１にポリイミド等からなるフレキシブル基板を取り付け、この基板を回路基板８０にネジ留めすることなどで行ってもよい。
【００３４】
また、外装ケース９１が金属製であるので、外装ケース９１とアンテナ２１とを絶縁するために、外装ケース９１の内周面９１Ａとアンテナ２１との間にはプラスチックなどの絶縁材からなる中枠９６が設けられるのが一般的である。プラスチック製の中枠９６を設けることで、アンテナ２１に磁束が入りやすくなるので、受信特性が向上する。
また、図３に示すように、二次電源７２やモータ４１１，４２１等の金属製の部材は、受信特性を向上させるために、アンテナ２１に対して平面的に離れた位置に配置されている。さらに、ノイズ源となるＣＰＵ８２や基準振動子３１１も、ある程度アンテナ２１から離して配置することが好ましい。
一方、コンデンサ等で構成される同調回路部２２や受信ＩＣ８１は、配線損失を減少させるために、アンテナ２１に近付けて配置されている。
【００３５】
また、外装ケース９１内におけるアンテナ２１の配置位置は限定されないが、図３に示すように、文字板９５の中心点に対して９時方向（９時側）に配置することが好ましい。アンテナ２１を文字板９５の３時方向に配置すると、外部入力装置８であるリューズと干渉し、アンテナ２１のレイアウトが困難になるが、アンテナ２１を文字板９５の９時方向に配置すれば、外部入力装置８であるリューズとの干渉を容易に防止できる。
【００３６】
図４，５に示すように、ムーブメントの表面側つまりカバーガラス９２側には、第１の太陽電池７１１が配置され、この第１の太陽電池７１１のカバーガラス９２側には文字板９５が配置されている。
文字板９５は、プラスチックや貝などの非導電性部材（電気絶縁体）であり、光透過性も備え、さらに電波も通過させることができる材質のもので構成されている。
【００３７】
第１の太陽電池７１１は、有機樹脂フィルム製の基板に、アモルファスシリコン層薄膜を積層したタイプのソーラーパネルのような電波を通過させることができる太陽電池で構成されている。
【００３８】
裏蓋９３は、ステンレスやチタンなどからなる金属製のリング９３１と、このリング９３１内の開口部分に嵌め込まれた透光性部材であるガラス９３２とを備えている。なお、リング９３１内に嵌め込まれるのはガラスに限らず、プラスチックなどでもよく、光を透過可能な透光性を備え、かつ、非導電性（電気絶縁体）を有し、電波が通過可能な部材を用いればよい。
この裏蓋９３は、リング９３１を介して外装ケース９１にねじ込まれるビス９３３により、外装ケース９１に着脱可能に取り付けられている。
【００３９】
裏蓋９３の外装ケース９１内部側つまりムーブメント側には、第２の太陽電池７１２が配置されている。第２の太陽電池７１２は、第１の太陽電池７１１と同様に、有機樹脂フィルム製の基板に、アモルファスシリコン層薄膜を積層したタイプのソーラーパネルのような電波を通過させることができる太陽電池で構成されている。
第２の太陽電池７１２は、裏蓋９３のガラス９３２に密着して取り付けられている。第２の太陽電池７１２およびムーブメント間には、導通用の２本のコイルバネ７１３が配置されている。従って、第２の太陽電池７１２で発電された電流は、コイルバネ７１３を介してムーブメントの二次電源７２に供給されている。
【００４０】
第１の太陽電池７１１は、図６にも示すように、３つのソーラーセル７１１Ａ〜７１１Ｃを備えている。各ソーラーセル７１１Ａ〜７１１Ｃは、平面略扇形に形成されている。また、ソーラーセル７１１Ａには、日車を露出させて日付を表示させる開口７１５が形成されている。
第２の太陽電池７１２は、図示しないが、１つのソーラーセルで構成されている。通常、第１の太陽電池７１１に比べて第２の太陽電池７１２は光が当たりにくく照度が低い。このため、第２の太陽電池７１２は、裏蓋９３のガラス９３２と略同じ面積の１枚のソーラーセルで構成されている。従って、第２の太陽電池７１２は、ソーラーセル１枚の面積が、第１の太陽電池７１１の各ソーラーセル７１１Ａ〜７１１Ｃに比べて大きくされている。
【００４１】
本実施形態では、図７に示すように、ソーラーセル７１１Ａ〜７１１Ｃおよび第２の太陽電池７１２は直列に接続されている。各ソーラーセルの起電圧は１枚あたり０．５Ｖ程度であるため、ソーラーセル４段を直列に接続することで、約２Ｖの起電圧が得られる。従って、１．５Ｖの電源で駆動するように設計された時計では、本実施形態のように、４段のソーラーセルを直列に接続すればよい。なお、３Ｖの電源で駆動される時計では、６枚のソーラーセルを設けて６段の直列接続となるように構成すればよい。例えば、第１の太陽電池７１１を４〜５枚のソーラーセルで構成し、第２の太陽電池７１２を１〜２枚のソーラーセルで構成してトータルで６枚のセルを用意し、６枚のセルを直列に接続すればよい。
【００４２】
駆動制御回路部３は、二次電源７２の電圧を検出する電圧検出手段として機能する電源電圧検出回路３０１と、電源電圧検出回路３０１の検出値に応じて二次電源７２への充電量を制御する充電制御回路３０２とを備える。二次電源７２および過充電防止トランジスタ３０３間には、逆流防止用のダイオード３０４が設けられている。
充電制御回路３０２は、太陽電池７１１、７１２および二次電源７２と並列に接続された過充電防止トランジスタ３０３のオン・オフを制御する。すなわち、電源電圧検出回路３０１で二次電源７２の電圧が所定値を上回ると、充電制御回路３０２は、過充電防止トランジスタ３０３をオンして太陽電池７１１、７１２を短絡し、太陽電池７１１、７１２の発電電流が二次電源７２を迂回するように制御し、二次電源７２の過充電を防止する。
【００４３】
なお、電源電圧が１．５Ｖに設定されている場合、二次電源７２は通常リチウムイオン系の二次電池が用いられる。この場合、充電制御回路３０２は、二次電源７２の最大充電電圧を２．４Ｖ程度に抑えるように過充電防止トランジスタ３０３を制御する。
【００４４】
図８にも示すように、外装ケース９１の対向する２カ所、通常は文字板９５における１２時方向および６時方向には、時計バンド９７を連結するための連結用突片（カン）９４がそれぞれ突設されている。
時計バンド９７は、複数の駒部材をピン（バネ棒等）で互いに回動可能に連結することで構成されている。そして、端部の駒部材も外装ケース９１の連結用突片９４にピンで回動可能に連結されている。
【００４５】
このような構成においては、図５に示すように、電波の一部である磁界成分は、カバーガラス９２やガラス９３２から外装ケース９１内に入り、アンテナ２１のコア２１１を、その一方の端部から他方の端部へと通過する。すると、コア２１１に巻回されたコイル２１２に交流電流が誘導され、これに伴ってコイル２１２の両端に交流電圧が発生する。そして、この交流電圧がアナログ受信信号として受信回路部２３に流れる。
そして、このアナログ受信信号を受信回路部２３で増幅、復調、デコード等の処理をしてデジタルの時刻データとし、時刻データ記憶回路部２４に記憶している。
【００４６】
すなわち、アンテナ２１は、コア２１１の各端部を結ぶ延長線方向（コア２１１やコイル２１２の軸方向）の磁界に反応する指向性を有している。従って、コア２１１やコイル２１２の軸方向に、金属製の外装ケース９１が近接して配置されていると、コイル２１２を鎖交する磁界が妨げられるため、アンテナ２１におけるアンテナ特性（受信感度）が低下する。これに対し、本実施形態では、前述のように、コア２１１やコイル２１２を平面円弧状に形成し、その端部を内周面９１Ａに沿って配置しているので、その軸方向に配置される金属製の外装ケース９１までの距離を比較的大きくでき、アンテナ２１における電波の受信感度を向上することができる。
また、二次電源７２、モータ４１１，４２１や基準振動子３１１、ＣＰＵ８２もアンテナ２１から離されて鎖交磁界に影響しないようにされている。すなわち、二次電源７２やモータ４１１，４２１は金属製であるため、外装ケース９１と同様に、コア２１１に近接して配置されると鎖交磁界に影響を与える。一方、基準振動子３１１は、３２．７６８ｋＨｚの水晶振動子が利用されており、この振動周波数が長波受信周波数（４０ｋＨｚ）に近いため、基準振動子３１１がアンテナ２１に近接して配置されると、アンテナ２１にノイズとして信号が混入する可能性がある。従って、二次電源７２や基準振動子３１１等は、アンテナ２１（コア２１１）に対して、ある程度離して配置されている。
【００４７】
また、本実施形態では、時計１を使用していない場合には、図８に示すように、横向きに置くことが好ましい。時計１を横向きにすれば、カバーガラス９２および裏蓋９３のガラス９３２から光を取り込んで第１の太陽電池７１１および第２の太陽電池７１２で発電することができる。
また、アンテナ２１の軸方向は、外装ケース９１の１２時方向および６時方向を結ぶ方向にほぼ平行とされている。そして、標準電波の磁界の向きは、図８に示すような向きとなるので、外装ケース９１を横向きに置いた際に、アンテナ２１の軸方向と、標準電波の磁界の向きがほぼ一致し、アンテナ２１のコイル２１２と鎖交する磁界成分が最大になる。このため、本実施形態では、外装ケース９１を横向きに置いた場合に最高の受信性能が得られる。
ここで、アンテナ２１の軸方向は、そのアンテナ２１において電波受信の指向性が最も強い方向に直交する方向である。例えば、アンテナが直線状に形成されたバーアンテナの場合には、通常、その長手方向に沿った方向を意味する。また、アンテナが平面湾曲形状とされた円弧状のアンテナの場合には、アンテナの軸方向は、通常、アンテナの両端間の中心部における円弧の接線方向を意味する。また、時計１を横向きにした際に、アンテナ２１が机等の載置面に対して略平行とされるので、載置面の影響を受け難くなって受信感度劣化を防止できる。
【００４８】
このような構成による電波修正時計１の動作を説明する。
まず、通常時の時刻表示について説明する。通常は、駆動制御回路部３は、パルス合成回路３１から入力されるパルス信号（基準信号）を利用し、１Ｈｚのパルス信号を送って秒時刻カウンタ６１２のカウンタ値をカウントアップする。秒時刻カウンタ６１２がカウントアップして秒位置カウンタ６１１のカウンタ値と異なると、一致検出回路６１３はその不一致を検出して駆動制御回路部３に不一致信号を出力する。駆動制御回路部３は、その不一致信号に基づいて、秒駆動パルス信号ＰＳ１を出力する。この秒駆動パルス信号ＰＳ１の出力により、秒位置カウンタ６１１がカウントアップされるとともに、秒駆動回路４１を介して秒モータ４１１が駆動され、秒針が駆動される。以上の処理は一致検出回路６１３で各カウンタ６１１，６１２の値が一致するまで行われる。従って、通常運針時は、秒時刻カウンタ６１２に１Ｈｚが入力されてカウンタ値が「１」カウントアップされる毎に、秒駆動パルス信号ＰＳ１が１つ出力され、秒針が１秒分毎ステップ運針される。
時分についても同様に、時分時刻カウンタ６２２でカウントされるカウント値に時分位置カウンタ６２１のカウント値を一致させるように駆動制御回路部３から時分駆動パルス信号ＰＳ２が出力され、時分駆動パルス信号ＰＳ２に応じて時分駆動回路４２から時分モータ４２１にパルス信号が出力され時針、分針が駆動される。
【００４９】
次に、時刻情報を受信する場合の動作について説明する。
駆動制御回路部３は、設定された受信開始時間になると、例えば各モータ４１１，４２１の駆動コイル４１２をショート状態にして各モータ４１１，４２１を停止した後、受信回路部２３を駆動して時刻情報の受信を開始する。なお、外部入力装置８による受信動作開始の操作によって強制的に開始（強制受信）させることも可能であるが、この場合も外部入力装置８によって受信動作が指示されると、駆動制御回路部３はまず駆動コイル４１２をショートしてその電圧を所定電位に固定した後、受信回路部２３を駆動して時刻情報の受信を開始する。
受信回路部２３が作動されると、アンテナ２１を介して受信された電波（時刻情報）は受信回路部２３で処理されたのち、記憶回路部２４に記憶される。このとき、受信した時刻データが正しいか否かの検証も合わせて行われる。具体的には、長波標準電波の時刻情報は１分毎のデータとなるため、受信した複数の時刻データが１分間隔の異なるデータになっているか等で判断される。
【００５０】
受信された時刻情報が正しいデータと判断されると、駆動制御回路部３の指示によって、時刻データは秒時刻カウンタ６１２と時分時刻カウンタ６２２に出力され、秒時刻カウンタ６１２と時分時刻カウンタ６２２のカウント値が修正される。この際、駆動コイル４１２のショート状態つまり各モータ４１１，４２１の停止状態も解除される。
そして、各時刻カウンタ６１２，６２２のカウント値が修正された結果、各位置カウンタ６１１，６２１と異なる値になると、駆動制御回路部３は、各カウント値が一致するまで各一致検出回路６１３，６２３の不一致信号を受ける。すると、駆動制御回路部３は、各駆動パルス信号ＰＳ１、ＰＳ２を出力し、各指針を駆動する。この指針の駆動は、各カウンタ値が一致するまで早送りで継続されるため、受信時刻に合わせて指針位置が自動的に修正され、時刻合わせが行われる。
【００５１】
なお、秒位置カウンタ６１１、時分位置カウンタ６２１の初期設定は、ユーザーの操作によって初期的にセットされるが、図７に示すように、指針の位置を検出可能な針位置検出手段５を設けている場合には、その検出結果をもとに自動的に各カウンタ６１１，６２１を初期値に設定することもできる。
これらの動作は、ハードウェアで構成された各手段で実現してもよいが、ＣＰＵおよびソフトウェアで実現してもよい。
【００５２】
前述の本実施形態によれば、次のような効果が得られる。
（１）第１の太陽電池７１１の他に、第２の太陽電池７１２を設けたので、時計１を横向きに置いて、時計１の表面側（風防側）だけでなく、裏面側（裏蓋側）にも光が当たるようにすれば、第１および第２の太陽電池７１１，７１２の両方で発電できる。従って、時計１のサイズを大きくすることなく、太陽電池７１１，７１２の面積を大きくすることができ、発電量を向上できる。このため、女性用の小型の腕時計においても、発電量を向上でき、外部無線情報の受信や送信などの電力消費量が大きな処理が必要な電波修正時計を実現することができる。
【００５３】
（２）外装ケース９１は金属製であるため、電波修正時計１の外観意匠を向上でき、デザイン上の制約も少なくかつ高級感のある電波修正時計１を提供することができる。
その上、裏蓋９３に非導電性部材であるガラス９３２を設け、かつ、第２の太陽電池７１２を有機樹脂フィルム製の基板等で構成しているので、裏蓋９３側から外装ケース９１内に外部無線情報を通すことができる。
さらに、カバーガラス９２、文字板９５、第１の太陽電池７１１も非導電性部材で構成したので、表面側から外装ケース９１内に外部無線情報を通すこともできる。
従って、アンテナ２１は、カバーガラス９２側および裏蓋９３側を介して外部無線情報を受信できるので、金属製の外装ケース９１部分で外部無線情報が遮断されても、受信感度の低下を防止できる。
【００５４】
（３）第２の太陽電池７１２は、裏蓋９３のガラス９３２に密着して裏蓋９３と一体的に設けられているので、第２の太陽電池７１２の大きさをガラス９３２に合わせて組み込むことができ、発電効率を向上できる。そのうえ、ガラス９３２で第２の太陽電池７１２の機械的強度を確保できるので、太陽電池７１２に別途補強板を設ける必要がなく、薄型化することもできる。
さらに、太陽電池７１２を裏蓋９３と共に着脱できるので、ムーブメントに配置された二次電源７２を容易に交換できる。
【００５５】
（４）第１の太陽電池７１１および第２の太陽電池７１２を直列に接続しているので、発電電圧を向上できる。特に、本実施形態では、第１の太陽電池７１１を３つのソーラーセル７１１Ａ〜７１１Ｃで構成し、各ソーラーセル７１１Ａ〜７１１Ｃおよび第２の太陽電池７１２を直列に接続しているので、４段のソーラーセルを直列に接続することになる。このため、各セルが０．５Ｖ程度の起電圧であっても、約２．０Ｖ近くの発電電圧が得られ、１．５Ｖ程度の電源で駆動される時計１の電力供給手段７として利用できる。
また、太陽光が当たり易く、単位面積あたりの発電量が大きくなる時計１の表面側に面する第１の太陽電池７１１を３つのソーラーセル７１１Ａ〜７１１Ｃに分割し、裏蓋側に面する第２の太陽電池７１２は１つのソーラーセルで構成したので、各ソーラーセルの発電量のバラツキを抑えることができ、発電効率を向上できる。
【００５６】
（５）裏蓋９３を、金属製のリング９３１と、このリング内に装着された透光性のガラス９３２で構成しているので、裏蓋９３の意匠性を向上できる。また、裏蓋９３は、金属リング９３１部分で外装ケース９１に取り付けることができるので、取付構造を強固にできる。
【００５７】
（６）二次電源７２の電圧を検出し、その電圧が所定電圧以上になると過充電防止トランジスタ３０３をオンする電源電圧検出回路３０１および充電制御回路３０２を備えているので、発電電流を短絡部分に流すことができ、二次電源７２を迂回させることができる。このため、二次電源７２の過充電を防止できる。
【００５８】
（７）さらに、前記実施形態では、アンテナ２１を湾曲させて外装ケース９１の内周面９１Ａに近接して配置できるので、アンテナ２１の長さもある程度確保できて、アンテナ特性の低下も防止できるとともに、時計１を小型化することもできる。従って、この点でも女性用の電波修正時計１を容易に実現できる。
その上、ケース９１の内部に配置される各ＩＣ、電池等のレイアウトの制限が少なくなり、比較的大きなあるいは巻数の多いアンテナ２１を用いることができ、アンテナ感度を向上できる。
【００５９】
（８）アンテナ２１を高容量二次電源（二次電池）７２や基準振動子３１１から離して配置しているので、電波受信時の電池７２や基準振動子３１１による影響を軽減でき、アンテナ特性の低下を抑えることができる。
【００６０】
（９）アンテナ２１の軸方向を、外装ケース９１の１２時方向および６時方向を結ぶ方向にほぼ平行としたので、外装ケース９１を横向きに置いた際に、アンテナ２１の軸方向と、標準電波の磁界の向きをほぼ一致でき、アンテナ２１のコイル２１２と鎖交する磁界成分を最大にできる。このため、外装ケース９１を横向きに置いた場合に、アンテナ２１の軸方向を他の方向に向けた場合に比べて受信性能を向上できる。すなわち、本実施形態によれば、外装ケース９１を横向きに置いた場合において、最高の受信性能が得られる。
【００６１】
〔第２実施形態〕
次に、本発明の第２実施形態について説明する。第２実施形態は、図９，１０に示すように、第２の太陽電池７１２を、裏蓋９３に一体に設けるのではなく、ムーブメントの裏蓋９３側に配置してムーブメントと一体化した点が前記第１実施形態と相違する。
本実施形態では、第２の太陽電池７１２はムーブメントに一体化されているので、前記第１実施形態のように、第２の太陽電池７１２とムーブメントとの導通用のコイルバネ７１３を設ける必要が無く、第２の太陽電池７１２から二次電源７２までの電源導通構造を簡単にできる利点がある。
【００６２】
また、第１実施形態では、コイルバネ７１３に対するムーブメント側の接点部と第２の太陽電池７１２側の接点部との相対位置が変わらないように、裏蓋９３がケース９１に対して回転されるスクリュータイプの裏蓋取付構造を利用できない。これに対し、第２実施形態では、裏蓋９３に第２の太陽電池７１２を一体化していないので、スクリュータイプの裏蓋を用いることもでき、その分、防水性能を向上できる。
【００６３】
なお、第２の太陽電池７１２をムーブメントに一体化した場合、第２の太陽電池７１２をムーブメントから取り外して二次電源７２を交換してもよいが、電池交換を簡単にするため、図１０に示すように、第２の太陽電池７１２に二次電源７２の形状に合わせた切欠７１２Ａを設け、この切欠７１２Ａ部分から二次電源７２を着脱できるように構成してもよい。
また、アンテナ２１は、第１実施形態と同様な湾曲したものを用いてもよいが、図１０に示すように、直線状のアンテナを利用してもよい。
【００６４】
なお、本発明は、前記各実施形態に限定されるものではない。
すなわち、本発明は、主に特定の実施の形態に関して特に図示され、かつ、説明されているが、以上述べた実施の形態に対し、本発明の技術的思想および目的の範囲から逸脱することなく、当業者が様々な変形を加えることができる。
例えば、図１１に示すように、過充電防止トランジスタ３０３を第２の太陽電池７１２と並列に設け、二次電源７２の電圧が所定値を上回ると、第２の太陽電池７１２を短絡し、第１の太陽電池７１１のみで充電するように構成してもよい。この場合、第２の太陽電池７１２が短絡されることで、二次電源７２の充電電圧が低くなり、過充電を防止することができる。
なお、電源電圧検出回路３０１、充電制御回路３０２、過充電防止トランジスタ３０３は、必須の構成要件ではないが、二次電源７２の過充電を防止できるので、設けたほうが好ましい。
【００６５】
さらに、図１１の過充電防止トランジスタ３０３のように、第２の太陽電池７１２を短絡するスイッチを設け、第２の太陽電池７１２が発電していない場合に、この太陽電池７１２を短絡するように制御してもよい。腕時計１を装着している場合、裏蓋９３が腕に密着して第２の太陽電池７１２に光が当たらない可能性が高い。この場合、第２の太陽電池７１２を短絡し、第１の太陽電池７１１のみを二次電源７２に接続すれば、充電効率を向上できる。
【００６６】
また、本発明の時計１における外装ケース９１は、金属製のものに限らず、例えば、プラスチックケースの表面にステンレスやチタン等の金属製カバーを取り付けて構成されたものでもよい。さらに、外装ケース９１は、合成樹脂やセラミックなどの非導電性材料で構成してもよく、さらにはこれらプラスチック等にメタリック塗装などの表面処理を施して金属層を形成したもので構成してもよい。外装ケース９１をプラスチック製などとして外部無線情報を通過可能に構成すれば、外部無線情報を遮断してしまう構造の太陽電池を利用することもできる。
【００６７】
また、前記実施形態では、裏蓋９３側から外部無線情報（電波）を受信可能なように、非導電性のガラス９３２や太陽電池７１２を用いていたが、電波をカバーガラス９２側のみから受信できればよい場合には、裏蓋９３や太陽電池７１２には電波を通さない材質のものを利用してもよい。
さらに、前記実施形態では、金属リング９３１およびガラス９３２で裏蓋９３を構成していたが、透光性を有するプラスチックのみで裏蓋を構成してもよい。
すなわち、裏蓋９３は、少なくとも光を透過させて太陽電池７１２で発電させることができるものであればよい。
【００６８】
一方、前記実施形態では、カバーガラス９２側から外部無線情報（電波）を受信可能なように、非導電性のガラス９２、文字板９５、太陽電池７１１を用いていたが、電波を裏蓋９３側のみから受信できればよい場合には、カバーガラス９２、文字板９５、太陽電池７１１には電波を通さない材質のものを利用してもよい。すなわち、カバーガラス９２や文字板９５は、少なくとも光を透過させて太陽電池７１１で発電させることができるものであればよい。
【００６９】
前記実施形態では、各太陽電池７１１，７１２を直列に接続していたが、並列に接続してもよい。
【００７０】
さらに、本発明は、アナログ式の電波修正時計１に限らず、デジタル式の電波修正時計１Ａに適用してもよい。デジタル式の電波修正時計１Ａは、図１２に示すように、アンテナ２１、受信回路部２３、時刻データ記憶回路部２４、駆動制御回路部３、パルス合成回路３１、発電装置７１、二次電池７２、リュウズなどの外部入力装置８等の電波修正時計１と同様の構成を備えている。さらに、駆動制御回路部３内には時刻カウンタ６３０が設けられ、時刻カウンタ６３０の時刻データが液晶パネルの駆動回路４３を介して時刻表示手段である液晶パネル４３０に表示されるように構成されている。なお、液晶パネル（ＬＣＤ）４３０の代わりに、発光ダイオード（ＬＥＤ）を用いた表示パネルを利用してもよい。
なお、時刻カウンタ６３０の値は、パルス合成回路３１からのパルス信号によって変化するとともに、受信回路部２３で受信され時刻データ記憶回路部２４に記憶された時刻データが正しいと判断された場合には、その時刻データによって更新される。
【００７１】
このようなデジタル式の電波修正時計１Ａにおいても、発電装置７１は、２つの太陽電池７１１、７１２を備えているので、発電電力を向上でき、時計を小型化できる。
なお、アナログ表示およびデジタル表示の両方を備えた電波修正時計に本発明を適用してもよい。
【００７２】
さらに、アンテナ２１によって受信する無線情報としては、時刻情報を含む長波標準電波に限定されない。例えば、時刻情報を受信する場合でも、その無線信号としては、３００ＭＨｚ帯の微弱電波無線、４００ＭＨｚ帯の特定小電力無線、２．４ＧＨｚ帯のBluetooth(ブルートゥース）等を利用してもよい。これらの無線を受信する場合には、周波数が高いため、コイル２１２のターン数は少なくてよく、アンテナ２１も小さくできる。
【００７３】
また、電波を用いた無線通信に限らず、電磁結合方式や電磁誘導方式等の他の無線通信方式を用いてもよい。なお、電磁結合や電磁誘導方式は、通信機器同士を近接させる必要があるが、ステンレス等の非磁性体であれば金属部分でも透過して通信が可能なため、アンテナが内蔵されるケースをステンレス等の金属製で構成できる利点がある。
【００７４】
さらに、前記アンテナ２１を用いて通信する無線情報としては、時刻情報に限らない。例えば、時計１内にＩＣカード機能を内蔵させ、電車の定期券や各種プリペイドＩＣカードのような情報を送受信するために利用してもよい。例えば、ケース９１内にＩＣチップとアンテナ等を組み込み、ＩＣカードを用いた改札機や入退室管理機、各種の課金支払機等に腕時計を近接させて情報をやり取りできるようにしてもよい。この場合、別途、ＩＣカードを出し入れする必要がなく、時計をはめた手を近付けるだけでよいため、操作性を非常に向上することができる。
従って、本発明の外装ケース９１に内蔵されるアンテナ２１としては、標準電波を受信する場合のような受信専用に用いるものでもよいし、非接触ＩＣを用いたタグのように、情報を送受信するために用いてもよいし、さらには送信専用に用いてもよく、これらは本発明を適用する無線機能付き時の種類に応じて適宜選択すればよい。
【００７５】
アンテナ２１は、受信や送信する無線情報の種類に応じたものを用いればよく、その種類は前記実施形態のものに限定されない。同調回路部２２も、受信や送信する外部無線情報の種類に応じて設計すればよい。また、アンテナの配置位置も特に前記実施形態に限定されるものではない。
【図面の簡単な説明】
【００７６】
【図１】本発明の第１実施形態の構成を示すブロック図である。
【図２】前記実施形態の受信回路部の構成を示すブロック図である。
【図３】前記実施形態のムーブメントの概略平面図である。
【図４】前記実施形態の時計の概略断面図である。
【図５】アンテナによる電波の受信を説明する説明図である。
【図６】第１の太陽電池を示す平面図である。
【図７】前記実施形態の電源回路を示す回路図である。
【図８】時計の載置状態を示す斜視図である。
【図９】本発明の第２実施形態の時計の概略断面図である。
【図１０】第２実施形態の時計の分解斜視図である。
【図１１】電源回路の変形例を示す回路図である。
【図１２】本発明の他の変形例であるデジタル時計の構成を示すブロック図である。
【符号の説明】
【００７７】
１，１Ａ…電波修正時計、２…無線受信手段、３…駆動制御回路部、４…駆動手段、６…カウンタ部、７…電力供給手段、２１…アンテナ、２２…同調回路部、２３…受信回路部、２４…時刻データ記憶回路部、４１…秒駆動回路、４２…時分駆動回路、４３…駆動回路、７１…発電装置、７２…二次電源、９１…外装ケース、９２…カバーガラス、９３…裏蓋、９５…文字板、３０１…電源電圧検出回路、３０２…充電制御回路、３０３…過充電防止トランジスタ、４１１…秒モータ、４２１…時分モータ、４３０…液晶パネル、７１１…第１の太陽電池、７１２…第２の太陽電池、９３１…金属リング、９３２…ガラス。
【図１】
2006047234.tif 000003
【図２】
2006047234.tif 000004
【図３】
2006047234.tif 000005
【図４】
2006047234.tif 000006
【図５】
2006047234.tif 000007
【図６】
2006047234.tif 000008
【図７】
2006047234.tif 000009
【図８】
2006047234.tif 000010
【図９】
2006047234.tif 000011
【図１０】
2006047234.tif 000012
【図１１】
2006047234.tif 000013
【図１２】
2006047234.tif 000014